(57)【要約】【課題】キャップの取り外し取り付けが容易で、内容物を注出し易いパウチのキャップの取り外し取り付け方法及びパウチ収納用ハウジングを提供すること。【解決手段】スパウト４０を備え、該スパウト４０の端部にキャップ４２が取り付けられ、可撓性の袋体４１内に内容物が収容されたパウチのキャップ４２の取り外し取り付け方法であり、本体１と、該本体１の開口部を被う蓋部２と、スパウト４０の先端部を外方に突出させてスパウト４０を支持し固定するためのスパウト支持孔が形成されているハウジングの本体１内に、前記パウチの本体部分を収容した状態で、キャップ４２に外嵌するキャップ回し７０を用いてキャップ４２を正逆方向に回転させるパウチのキャップの取り外し取り付け方法である。【選択図】　　図１９
2004026276.tif 000002
【特許請求の範囲】
【請求項１】
スパウトを備え、該スパウトの端部にキャップが取り付けられ、可撓性の袋体内に内容物が収容されたパウチのキャップの取り外し取り付け方法であって、本体と、該本体の開口部を被うことができる蓋部と、前記スパウトの先端部を外方に突出させて前記スパウトを支持し固定するためのスパウト支持孔が形成されているパウチ収容用ハウジングの前記本体内に、前記パウチの本体部分を収容した状態で、前記キャップに外嵌するキャップ回しを用いて前記キャップを正逆方向に回転させることを特徴とするパウチのキャップの取り外し取り付け方法。
【請求項２】
前記キャップ回しは、前記キャップに外嵌する中空部を備えた中空体と、該中空体の外面から突出したつかみ部とを備えたものである請求項１記載のパウチのキャップの取り外し取り付け方法。
【請求項３】
前記中空体は、その上方から見て円形であるとともに　前記つかみ部は、前記中空体の上方から見て、その左右の両端を結ぶ線が前記中空体の直径を含むものであることを特徴とする請求項２記載のパウチのキャップの取り外し取り付け方法。
【請求項４】
前記中空体はその上方から見て円形であるとともに　前記つかみ部は、前記中空体の上方から見て、前記中空体の直径を含むものであることを特徴とする請求項２記載のパウチのキャップの取り外し取り付け方法。
【請求項５】
本体と、該本体の開口部を被うことができる蓋部とを備えるとともに、スパウトを備え、該スパウトの端部にキャップが取り付けられ、可撓性の袋体内に内容物が収容されたパウチを収容するためのパウチ収容用ハウジングであって、前記スパウトの先端部を外方に突出させて前記スパウトを支持し固定するためのスパウト支持孔が形成されているとともに、前記キャップに外嵌して前記キャップを正逆方向に回転させるキャップ回しを前記蓋部の頂壁内面に備えていることを特徴とするパウチ収容用ハウジング。
【請求項６】
前記キャップ回しは、前記キャップに外嵌する中空部を備えた中空体と、該中空体の外面から突出したつかみ部とを備えたものである請求項５記載のパウチ収納用ハウジング。
【請求項７】
前記中空体はその上方から見て円形であるとともに、前記つかみ部は、前記中空体の上方から見て、前記中空体の直径を含むものであることを特徴とする請求項６記載のパウチ収納用ハウジング。
【請求項８】
前記蓋部の頂壁は高さを異にした段差部分を有し、前記キャップ回しは高さが高い段差部分の内面に備えられていることを特徴とする請求項５又は６記載のパウチ収容用ハウジング。
【請求項９】
前記スパウト支持孔が、蓋部の下部に形成された切欠と本体の上部に形成された切欠とにより形成されるとともに、前記本体の側面側に形成されていることを特徴とする請求項５又は６記載のパウチ収容用ハウジング。
【発明の詳細な説明】
【０００１】
【発明の属する技術分野】
本発明は、スパウトを備え、可撓性の袋体内部に、飲料水等の内容物を収容したパウチに取り付けられたキャップの取り外し取り付け方法及びパウチを収容するためのパウチ収容用ハウジングに関する。
【０００２】
【従来の技術】
パウチとして、ポリエチレンフィルム等から構成される可撓性の袋体内に内容物を充填し、スパウト（注出口）を取り付けたものが用いられている。
このようなパウチは廃棄物減量のために有用である。前記内容物の例は、０．１〜２リットル程度のミネラルウォーター、ソフトドリンク等の液状物である。このようなパウチは硬質性のポリエチレンテレフタレート（ＰＥＴ）ボトル等に比較して、自立性に乏しくまた裂け易いので取扱い難い。このため、パウチを硬質合成樹脂の箱状のハウジングに収容することが提案されている。パウチを収容した硬質性のハウジングは、ＰＥＴボトルと同様に取扱い易い。そして、パウチ内の内容物が消費された後は、空のパウチは新しいパウチと取り替えられ、ハウジングは繰り返し使用される。空になったパウチは変形し易くて嵩張らないので、ＰＥＴボトル等に比較して保管容易であり、また廃棄し易い。
このようなパウチを収容するためのハウジングが実開平７−１５５６６号公報、特開平７−２２３６８９号公報、特開２０００−１１８５６２号公報等に開示されている。
【０００３】
内容物の注ぎ易さ、内容物の詰め替えの防止等の点から、スパウトは小径（例えば、約１５ｍｍの外径）であることが好ましく、このためキャップも小径である。一方、内容物の漏れ等を防止するために、キャップをスパウトに強く締め付け螺着することが好ましい。しかし、小径であって、スパウトに強く締め付けられたキャップの取り外しが、女性、老人等にとって容易ではなかった。また、内容物の漏れ等を防止するために、キャップをスパウトに強く締め付け螺着することも容易でなかった。
【０００４】
【発明が解決しようとする課題】
本発明は、キャップの取り外し取り付けが容易な、パウチのキャップの取り外し取り付け方法及びキャップの取り外し取り付けが容易で、パウチを収容し易く、またキャップを保管し易く、更に内容物を注出し易いハウジングを提供することを目的とする。
【０００５】
【課題を解決するための手段】
本発明のパウチのキャップの取り外し取り付け方法は、スパウトを備え、該スパウトの端部にキャップが取り付けられ、可撓性の袋体内に内容物が収容されたパウチのキャップの取り外し取り付け方法であって、本体と、該本体の開口部を被うことができる蓋部と、前記スパウトの先端部を外方に突出させて前記スパウトを支持し固定するためのスパウト支持孔が形成されているパウチ収容用ハウジングの前記本体内に、前記パウチの本体部分を収容した状態で、前記キャップに外嵌するキャップ回しを用いて前記キャップを正逆方向に回転させる方法である。
【０００６】
上記方法において、前記キャップ回しは、前記キャップに外嵌する中空部を備えた中空体と、該中空体の外面から突出したつかみ部とを備えたものであることが好ましい。また、前記中空体は、その上方から見て円形であるとともに　前記つかみ部は、前記中空体の上方から見て、その左右の両端を結ぶ線が前記中空体の直径を含むものであることが好ましい。更に、前記中空体はその上方から見て円形であるとともに　前記つかみ部は、前記中空体の上方から見て、前記中空体の直径を含むものであることが好ましい。
【０００７】
本発明のパウチ収容用ハウジングは、本体と、該本体の開口部を被うことができる蓋部とを備えるとともに、スパウトを備え、該スパウトの端部にキャップが取り付けられ、可撓性の袋体内に内容物が収容されたパウチを収容するためのパウチ収容用ハウジングであって、前記スパウトの先端部を外方に突出させて前記スパウトを支持し固定するためのスパウト支持孔が形成されているとともに、前記キャップに外嵌して前記キャップを正逆方向に回転させるキャップ回しを前記蓋部の頂壁内面に備えているものである。
【０００８】
上記パウチ収容用ハウジングにおいて、前記キャップ回しは、前記キャップに外嵌する中空部を備えた中空体と、該中空体の外面から突出したつかみ部とを備えたものであることが好ましく、また前記中空体はその上方から見て円形であるとともに、前記つかみ部は、前記中空体の上方から見て、前記中空体の直径を含むものであることが好ましい。更に、前記蓋部の頂壁は高さを異にした段差部分を有し、前記キャップ回しは高さが高い段差部分の内面に備えられていることが好ましく、また前記スパウト支持孔が、蓋部の下部に形成された切欠と本体の上部に形成された切欠とにより形成されるとともに、前記本体の側面側に形成されていることが好ましい。
【０００９】
【発明の実施の形態】
図１〜７は、本発明のパウチ収容用ハウジング（以下、ハウジングという。）の例を示す図であって、図１は蓋部を開いた状態を示し、図２、３、５、６はキャップ回しを取り外し且つ蓋部を閉じた状態を示し、図１９は本発明のパウチのキャップの取り外し取り付け方法の例を示す断面図であって、ハウジングとして図１のものを用いた例を示す。
【００１０】
本発明のハウジングの例は、図１に示すように、上端に開口部１ａを有して上面を開放してなる本体１と、該本体１にヒンジ３で結合されて開閉し、本体１の開口部１ａを被うことができる蓋部２とを備えるとともに、スパウト４０を備え、該スパウト４０の端部にキャップ４２が取り付けられ、可撓性の袋体４１内に内容物５０を収容したパウチの本体部分を収容するためのハウジングであって、図６、１９に示すように、スパウト４０の先端部を外方に突出させてスパウト４０を支持し固定するためのスパウト支持孔１２が、蓋部２の下部に形成された切欠１２ｂと本体１の上部に形成された切欠１２ａとにより蓋部２を閉じた状態で、本体１の側面側に形成されるとともに、キャップ４２に外嵌する中空部を備えた中空体と、該中空体の外面から突出したつかみ部とを備えてキャップ４２を正逆方向に回転させるキャップ回し７０を蓋部２の頂壁内面２ａに備えているハウジングである。ハウジングの側面の幅が約１１０ｍｍ以下であると、冷蔵庫の扉の内側に設けられた棚にハウジングを収納し易い。
【００１１】
図１に示すハウジングによれば、図１９に示すようにパウチをハウジング内に収容し且つ自立させた状態で、パウチのキャップ４２に外嵌するキャップ回し７０を用いてキャップ４２を回転できる。従って、キャップ回し７０によるキャップ４２の回転が容易であり、また袋体４１がスパウト４０の突片４５の部分から裂けることもない。また、スパウト支持孔１２を有してスパウト４０を支持し固定できるので、キャップ回し７０によるキャップ４２の回転が容易あり、また内容物５０を注ぎ易い。また、つかみ部が中空体の外面から突出するものであるので、キャップ４２より大径の部分を有しキャップ４２を小さな力で回転できる。
更に、蓋部２の頂壁内面２ａにキャップ回し７０を備えているので、閉蓋すればキャップ回し７０はハウジング内に収容される。従って、キャップ回し７０の保管は容易であり、またキャップ回し７０の保管のために特にスペースを必要としない。
【００１２】
図１に示すように、本体１は該本体１の外方に向かって凹とされた凹部７と、指を挿通できる大きさに切り欠かれてなる２個の握り孔９ａ、９ｂとを備えるとともに、該握り孔９ａ、９ｂは前記凹部７の両側に形成され、且つ前記凹部７は前記握り孔９ａ、９ｂにより片手で把持できるように形成されてなるハウジングを、本出願人は特願２００２−６６２５６号で提案している。
【００１３】
本体１はその内部空間にパウチを収容し、蓋部２は本体１の開口部１ａを被うためのものである。また、蓋部２は周壁と頂壁を、本体１は周壁４と底壁とを有してハウジング内への異物の侵入を防止する。本体１と蓋部２は、硬質性の合成樹脂を射出成形することで製造できる。硬質性の合成樹脂は不透明性でもよいが、透明ＡＢＳ等の透明性樹脂を用いると、本体１を透明性（透視性）とすることができ、パウチ内の内容物の量、状態を把握し易い。
【００１４】
本体１と蓋部２とは、連結ピン等により構成され、ハウジングの背面側に存するヒンジ３により連結されて蓋部２は開閉する。
【００１５】
本体１に形成された凹部７と、該凹部７の両側に形成された握り孔９ａ、９ｂは、ハウジングを持ち上げるための握りを形成する。この握りは、ハウジングの外方に凸ではなくて、凹な凹部により形成されるので側方に突出せず余分なスペースをとらない。
【００１６】
凹部７を本体１の幅広の前面に、或いは本体１の前面と幅狭の側面にわたって形成してもよいし、側面のみに形成してもよい。凹部７を側面のみに本体１の側壁として形成すると、凹部７が前面から見えないのでデザイン性が高い。また、凹部７は本体１の下端と上端との間に形成してもよいが、図１に示すように、凹部７を本体１の下端から上端まで連続して形成すると、パウチの収容の妨げとなり難いし、またリブ効果が高く凹部７は強靱となる。凹部７を蓋部２にまで延長して蓋部２にも、蓋部２の外方に向かって凹の凹部７ｂを、例えば蓋部２の側壁として形成すると、凹部７を射出成形し易いし、凹部７の開口部１ａを被い易いし、またリブ効果が高く蓋部２は強靱となる。
【００１７】
また、一方の握り孔９ａを本体の前面から凹部７が形成された側面にわたって、他方の握り孔９ｂを本体１の背面から凹部７が形成された側面にわたって形成してもよい。握り孔９ａ、９ｂを共に、図３に示すように、凹部７が形成された側面と同一の側面に形成すると凹部７を把持し易いし、射出成形によって握り孔９ａ、９ｂを形成し易い。尚、握り孔９ａ、９ｂは本体１の下端と上端との間に形成する。
【００１８】
握り孔９ａ、９ｂの形状は、図３に示すように矩形形状でもよいし、楕円形状等でもよい。また、図３に示すように、握り孔９ａと握り孔９ｂとが凹部７に関して対称形状であると、ハウジングは右利きの者と左利きの者とに共用可能であるが、非対称形状でもよい。図１に示すように、凹部７と握り孔９ａ、９ｂとを右側面側に形成した場合、右利きの者のであれば、握り孔９ａに親指を挿通し、握り孔９ｂに残る４本の指を挿通し、凹部７を片手で把持することでハウジングを持ち上げることができる。
【００１９】
凹部７は本体１の内部方向に突出しているが、袋体は可撓性であって、内容物が液状或いは粒状の固形物であれば内容物は変形し易いので、凹部７はパウチの収容の妨げとなり難い。凹部７の突出長さｐ（図４に示す。）は約５〜４０ｍｍ、特に約１０〜３０ｍｍであることが好ましい。突出長さｐが約５ｍｍ未満であると凹部７の機械的強度が低く、４０ｍｍを越えるとパウチの収納の妨げとなり易い。突出長さｐは、図４に示すように、凹部７の側端（即ち本体１の側端）と、該側端から本体１の内方に突出する凹部７の突出端との間の長さである。
【００２０】
凹部７の水平断面形状は逆コの字状でもよいし円弧形状でもよい。凹部７の水平断面形状が、図４に示すように、略円弧形状であって、その曲率半径Ｒ（図４に示す。）が約１０〜５０ｍｍであれば、凹部７を握り易いし強度も大きい。
【００２１】
握り孔９ａ、９ｂは指を挿通するためのものである。握り孔９ａと握り孔９ｂとの間の間隔ｄ（図４に示す。）が約１５〜６０ｍｍ、好ましくは約２５〜５０ｍｍであれば、凹部７を握り易いし、凹部７の強度も大きい。握り孔９ａと握り孔９ｂとの間隔ｄが１５〜６０ｍｍ、好ましくは約２５〜５０ｍｍであり、且つ凹部７が本体１の内方に向かって５〜４０ｍｍ、好ましくは約１０〜３０ｍｍ突出するようにすると、凹部７を握り易いし、凹部７の強度も大きいし、パウチも収容し易い。
【００２２】
図４に示すように、一対の握り孔９ａ、９ｂが凹部７と連続して凹部７の両側に形成されていると、前後方向に突出する突出部が凹部７の両側に存在しない。従って、凹部７を把持した時に手の平に対する凹部７の感触が良いし、凹部７を把持し易い。握り孔９ａ、９ｂが凹部７と連続して凹部７の両側に形成されている場合、握り孔９ａと握り孔９ｂとの間の間隔ｄは、図４に示すように、凹部７の幅に等しい。
【００２３】
握り孔９ａ、９ｂのそれぞれの孔幅ｗ（図４に示す。）が約２０ｍｍ以上で、上下方向の高さが約２０ｍｍ以上であれば、指を挿通し易い。握り孔９ａ、９ｂの好ましい幅ｗは約２０〜５０ｍｍで、上下方向の好ましい高さは約２０〜１５０ｍｍである。
【００２４】
スパウト支持孔１２は、蓋部２を閉じた状態でスパウト４０の先端部をハウジングの外に突出させてスパウト４０を支持し固定してするためのものである。スパウト４０が支持し固定されているとスパウト４０ががたつかないので、内容物５０をスパウト４０から注ぎ易いし、またキャップ回し７０によりキャップ４２を回転し易い。
スパウト支持孔１２は蓋部２を閉じた状態で形成されることが好ましい。このスパウト支持孔１２が、本体１の上部に形成された切欠１２ａと、該切欠１２ａに対応して蓋部２の下部に形成された切欠１２ｂとにより蓋部２を閉めたときに形成されると、スパウト４０の先端部を突出させた状態でパウチを本体１内に収容し易いし、スパウト４０を支持し固定し易い。
また、図１に示すように、凹部７が形成された右側面と対向する、ハウジングの左側面側に、スパウト支持孔１２が、切欠１２ａと切欠１２ｂとによって形成されるようにすると、スパウト先端部を左側面において左側方に突出できる。このようにスパウト先端部を本体１の側方、即ちハウジングの側方に突出させると、スパウト４０の先端部は略水平に突出するので、スパウト４０の先端部を上方に向けて突出させた場合に比較して内容物を注ぎ易い。
【００２５】
本体１の上面に形成された切欠１２ａの形状が、図１に示すように、略半円形であると、パウチを本体１内に収容する際に、スパウト４０の胴部部分（その断面形状は円形）を切欠１２ａの所に載置して支持し易い。また、蓋部２の下面に形成された切欠１２ｂの形状も略半円形であると、蓋部２を閉めた時に、スパウト支持孔１２の形状は略円形状となりスパウト４０の胴部４６の上部分が固定され易い。
【００２６】
切欠１２ａ、１２ｂの部分は撓み変形し易い。この撓み変形を防止するために、切欠１２ａの付近に、本体１の周壁４から内方に突出し、先端部分が切欠１２ａの側に折り曲げられた突出片２７を設けてもよい。この突出片２７の折り曲げ部分は、スパウト４０の水平方向の移動を阻止するためのものである。また、切欠１２ｂの付近に、蓋部２の周壁から蓋部２の内方に向かって突出する補強リブ１９を設けてもよい。
【００２７】
スパウト支持孔１２が、本体１の側面側に形成され、且つ蓋部２がスパウト支持孔１２に向かって見て、前後方向ではなく、図１に示すように左方向、又は右方向に約１５０〜２１０度、好ましくは約１８０度開閉すると、本体１内にパウチを収容し易い。
【００２８】
蓋部２の下部には、図１に示すように蓋部２の側壁より厚みが薄く、図５、６に示すように本体１の上部内面に嵌合し、下方に突出する薄肉の段差部１５を形成するがよい。この薄肉の段差部１５は、蓋部２を本体１に密に嵌合させる。蓋部２の部分であって、ヒンジ３に結合されている部分には、図１に示すように、段差部１５を設けないようすれば、蓋部２を閉じる際に段差部１５が本体１の上面に接触して破損することがない。
【００２９】
図１に示すように蓋部２が係止爪１７を段差部１５に有し、図５に示すように、本体１がその内側に係止爪１７を係止する係止突起２３を有して、蓋部２と本体１とが、本体１の内側で係止する係止爪１７と係止突起２３とによりロックされると、スパウト４０の固定が確実で、内容物５０をスパウト４０から注出し易いし、またキャップ回し７０によりキャップ４２を回転し易い。
【００３０】
図７は、ロック部の例を示す要部拡大端面図である。蓋部２が係止爪１７を有し、前記本体１がその片面が前記本体１の前面に突出するように取り付けられたスライド片２０を有し、図７に示すように、該スライド片２０は、基部が本体１の周壁４（前壁）を貫通し先端部が本体１内に突出し、係止爪１７の折れ曲がった先端部を下面にて係止し、且つ前記スライド片２０に連結されて連動して動く係止突起２３を備えるとともに、該スライド片２０の裏面に本体１の周壁４側に突出する突起２１が形成され、周壁４のスライド片２０側の面に、突起２１に嵌合し合う凹み２５が形成され、該凹み２５と突起２１とが嵌合しているとき、係止爪１７と係止突起２３とが係止されて、蓋部２と本体１とが二重にロックされるようにすると、蓋部２が不用意に開くことがない。蓋部２を開くときは、凹み２５と突起２１の嵌合により動きを阻止されているスライド片２０を指先で若干圧して撓み変形させ、スライド片２０を右方向に移動させて、該スライド片２０と連動して動く係止突起２３を右方向に移動させる。これにより、係止突起２３の下面に係止する係止爪１７の係止が解かれる。
【００３１】
図８〜１４は、図１に示したキャップ回し７０を拡大して示した正面図などである。図８〜１４に示すキャップ回し７０において、その背面図は図８に示す正面図と対称に表れ、右側面図は左側面図と同一に表れる。
【００３２】
図８〜１４に示すキャップ回し７０は、断面円形の外形と、周壁と頂壁とを有し、キャップ４２に外嵌する中空部７３を備えた中空体７２と、該中空体７２の内面に直線状に延びるように形成され、キャップ４２の外周面に形成された線状突起と嵌合する嵌合用突起７４と、中空体７２の周壁の左右両端の外面から側方及び上方に突出し、また頂壁上面の前記両端を結ぶ直径を含んでその上面から上方及び側方に突出して前記左右両端と前記直径とを含み、且つ中空体７２より大径の部分を有した板状のつかみ部７６と、を有する。
【００３３】
つかみ部７６の厚さが、中空体７２の直径の約３分の１以下、好ましくは約３０分の１以上で約３分の１以下であれば、蓋部２がその頂壁内面２ａにキャップ回し７０を備えても蓋部２の閉蓋の妨げとなり難い。
つかみ部７６が、図８に示すように、つかみ部７６の長手方向の対称面に直交する中空体７２の対称面上に、窪みである谷状部７７を有すると、閉蓋の際にこの谷状部７７に袋体４１の上端部が進入し易いので閉蓋し易い。
つかみ部７６が図８に示すような輪郭、即ち小さな谷状部を有する４個の山状部と該山状部の間のそれぞれに、より深い谷状部７７とを有する輪郭であればデザイン性に優れるが、つかみ部７６の輪郭は略矩形状、略弓形形状等でもよい。
【００３４】
ところで、キャップ回しは、パウチのキャップ４２に外嵌してこのキャップ４２を正逆方向に回転させるものである。
このようなキャップ回しとして、キャップ４２に外嵌する中空部を有するが、該中空体の外面から突出するつかみ部を有さないもの、例えばリング状体でもよい。しかし、キャップ回しが、キャップ４２に外嵌する中空部を備えた中空体と、この中空体の外面から突出するつかみ部とを備えていると、軽量であり、つかみ易く、また大径とし易くてキャップ４２を回転し易い。
【００３５】
キャップ回しは、その中空体７２が上方から見て略円形であり、つかみ部は中空体７２の周壁の左右両端からは突出せずに、左右両端のいずれか一方からのみ突出するものでもよい。しかし、キャップ回しとして、図１０に示すように、中空体７２はその上方から見て円形であり、中空体７２の上方から見て、つかみ部７６は中空体７２の周壁の左右両端から外方に突出して、その左右の両端Ｍ、Ｎを結ぶ線が中空体７２の上面の直径を含むものが好ましい。このようなキャップ回し７０は、指先でつかみ易い上にキャップ４２を回転し易い。
【００３６】
またつかみ部は、中空体７２の周壁の左右両端から突出するとともに、中空体が頂壁を有さないか或いは頂壁を有しても頂壁からは突出しないか、又は前記両端を結ぶ線上の頂壁上面の一部から突出して、中空体７２の上方から見て、つかみ部が中空体７２の上面直径を含まないように形成されてもよい。
図１５〜１７はこの例のキャップ回しを示す図であり、図１に示したキャップ回し７０とはつかみ部７６の形状のみが異なる例を示す。図示のキャップ回しの底面図は図１１と同一で、図１５のＬ−Ｌ線断面図は図１４と同一である。
【００３７】
このキヤップ回し７０ａは、図１５に示すように、両側のつかみ部７６ａ、７６ａが中空体７２の頂壁からは突出せずに、周壁の左右両端から斜め上方に突出して、つかみ部７６ａが、中空体７２の上方から見て、図１６に示すように、中空体７２の上面直径を含まないものである。このキヤップ回し７０ａは、間隔をおいて左右に位置するつかみ部７６ａ、７６ａを有するので、つかみ部７６ａの間に存在する谷状部７７が大きい。従って、閉蓋の際に谷状部７７に袋体４１のの上端が進入し易くて閉蓋し易い。
尚、キヤップ回し７０ａにおいて、中空体７２の上方から見て、つかみ部７６ａの左右両端Ｍ、Ｎを結ぶ線は、図１６に示すように、中空体７２の上面の直径を含んでいる。
【００３８】
尚、図１０に示すように、中空体７２はその上方から見て円形であるとともに、つかみ部７６は、中空体の周壁の左右両端から突出するとともに、前記両端を結ぶように頂壁の上面からも突出して、中空体７２の上方から見て、つかみ部７６が中空体７２の上面直径を含むようにキャップ回し７０が構成されていると、回転トルクが大きい上に、指先でつかみ易く、またつかみ部７６が強靱である。
【００３９】
図１８は、図１に示すキャップ回し７０を着脱可能に取り付ける取付座を備えたハウジングの例を示す図である。
図１８に示すように、蓋部２の頂壁内面２ａに、キャップ回し７０を保持してその落下を防止する取付座２ｄを形成すれば、キャップ回し７０を頂壁内面２ａに着脱可能に設け易い。取付座２ｄの例として、頂壁内面２ａより突出し、キャップ回し７０の中空部７３の径より大きい部分を有するものが挙げられる。取付座２ｄが中空部７３の径より若干大きい部分を有すれば、取付座２ｄを中空部７３内に指先で嵌め込むことでキャップ回し７０は取付座２ｄに係止されて脱落しない。取付座２ｄが、図１８に示すように、矩形形状である場合はその長手方向の長さを中空部７３の径より若干大きくする。図示例の取付座２ｄは矩形形状であるが、円形状でその外径が中空部７３の径より大きいものでもよい。
尚、キャップ回し７０がプラスチック製であれば弾性を有して取付座２ｄにキャップ回し７０を外嵌させ易い。キャップ回しはプラスチックの射出成形により製造できる。
【００４０】
本発明に係るハウジングにはパウチが収容される。パウチとして、図１９に示すように、ポリエチレンフィルム等の可撓性フィルムから構成される袋体４１内に内容物５０が充填され、前記袋体４１にスパウト４０が取付られ、該スパウト４０の端部にキャップ４２が取付られたものが挙げられる。スパウト４０の例は、図１９に示すように、貫通孔４９を備えた胴部４６を有し、この胴部４６の右方に袋体４１の口部内面にヒートシール等により溶着される外形面を備えた台座４３と、台座４３の左方の周縁に外方に向けて突出する突片４５とを有するものが挙げられる。このようなスパウトは、例えば特開２０００−１１８５６２号公報等により公知である。
キャップ４２として断面円形の外形を有し、スパウト４０に螺着でき、その外周面に、直線状に延びる突起である線状突起を有するものが好ましい。
【００４１】
次に、本発明のパウチのキャップの取り外し取り付け方法の例を、図１、１９に基づいて説明する。
図１に示すようにハウジングの蓋部２を開いた状態で、パウチの本体部分をハウジングの本体１内に上端開口部１ａより落とし込んで収容する。この際、スパウト４０の胴部４６の部分を切欠１２ａの上に載置させ、図１９に示すようにスパウト４０の先端部がハウジングの側面から外方に水平に突出するように、且つスパウト４０の突片４５を、周壁４（側壁）と突出片２７の折り曲げ部分との間に位置させる。そして、蓋部２の段差部１５を本体１の上部内に嵌合させて蓋部２を閉じる。これにより、スパウト４０の胴部４６の部分は、切欠１２ａと１２ｂとにより上下方向の移動を阻止され、突片４５の水平方向の移動が周壁４（側壁）と突出片２７とにより阻止される。その結果、スパウト４０はスパウト支持孔１２の部分で支持され固定されてがたつかない。
【００４２】
そして本体１と蓋部２とをロックして、スパウト４０をスパウト支持孔１２ｂによって更に支持し固定する。図１に示すように、キャップ回し７０のつかみ部７６の長手方向が蓋部２の長手方向と直交するようにキャップ回し７０が位置すると蓋部２を閉じた際、キャップ回し７０の谷状部７７に袋体４１の上部折り曲げ部が進入し易い。
【００４３】
また、蓋部２の頂壁が高さを異にする段差部分を有し、図１９に示すように、高さが最も高い頂壁の段差部分の裏面に取付座２ｄが形成されていると、キャップ回し７０は閉蓋の妨げとなり難い。図１９に示す例では、高さが最も高い段差部分は蓋部２の長手方向の中央部とスパウト支持孔１２ｂとの間の蓋部２の頂壁に形成され、スパウト支持孔１２ｂの上の蓋部２の頂壁部分は高さが最も高い段差部分とされ、閉蓋容易とされている。高さが最も高い段差部分と、高さが最も低い段差部分との高低差ｈ（図５に示す。）は、約５ｍｍ以上、好ましくは約５〜３０ｍｍである。
【００４４】
キャップ４２の締め付けをゆるめてキャップ４２をスパウト４０から取り外す際は、開蓋した後、キャップ回し７０を取付座２ｄから取り外す。そして開蓋状態で、キャップ回し７０をキャップ４２の外側に嵌めて（外嵌させて）キャップ回し７０を逆方向に回転させてキャップ４２を緩める。本体１の中にパウチが収容されていれば開蓋状態でもパウチは自立しており、またスパウト４０の部分をスパウト支持孔１２ａ、突出片２７によって支持固定できるので、キャップ４２を回転し易いし、回転させても袋体４１は台座４３の融着部の所から裂け難い。
【００４５】
また、閉蓋状態としてスパウト４０をスパウト支持孔１２等により支持し固定し、且つキャップ４２を水平に突出させた状態では、キャップ回し７０によるキャップ４２の取り外しが容易である。
即ち、蓋部２を閉じ蓋部２の開閉をロックした状態で、図１９に示すように、キャップ回し７０をキャップ４２の外側に差し込んで右方に水平に押し込むことでキャップ回し７０を外嵌させる。これによりキャップ回し７０の嵌合用突起７４とキャップ４２の線状突起とが嵌合する。次いで、つかみ部７６を指先でつかんで逆回転させると、キャップ４２も逆回転してキャップ４２の締め付けは緩む。つかみ部７６は大径なので小さな力でキャップ４２を回転できる。
【００４６】
キャップ４２を緩めた後、キャップ回し７０を左方に引き抜き、キャップ４２をスパウト４０から取り外した後、凹部７を指と手の平で持ってハウジングを横に傾け、容器であるパウチ内の内容物５０を、先端部が外方に突出したスパウト４０からコップ等に注ぐ。注ぎ終わった後にキャップ４２をスパウト４０に締め付け取り付けする際は、キャップ回し７０をキャップ４２に外嵌させて正回転する。
【００４７】
キャップ４２を締め付けた後、開蓋状態で、取付座２ｄの外側に中空部７３を押し込んでキャップ回し７０を蓋部２の裏面に再び取り付ける。次いで、閉蓋すれば、キャップ回し７０はハウジング内に保管され、紛失の虞もない。
尚、所望により、キャップ回し７０のつかみ部７６に形成された透孔７８に紐を通して、冷蔵庫の側面等にキャップ回し７０を吊り下げ保管してもよい。
【００４８】
次に、図１〜７に示したハウジングの係止爪１７の部分が補強されたハウジングの例を明する。
係止爪１７は薄肉であって折損し易い。図２０は、係止爪１７の折損を効果的に防止したハウジングの蓋部の一部を拡大し、ハウジングの他の部分の図示を省略した斜視図である。図２０に示すハウジングが図１〜７に示したハウジングと異なる点は、図１との対比から分かるように、係止爪１７がその裏面から蓋部２の内方側に突出し、蓋部２の頂壁内面２ａまで延びた縦長のリブ１７ａによって補強されている点である。このため、閉蓋して係止爪１７と係止突起２３とを係止させる際に、キャップ回し７０がパウチの袋体４１の上部に接触していても係止爪１７が折損し難い。
【００４９】
図示例では、縦長のリブ１７ａは、係止突起２３が進入して係止爪１７を係止する係止部１７ｂより先端側の係止爪１７の裏面から蓋部２の内方側に突出し、蓋部２の頂壁方向に延びることで、係止爪１７の先端部分を補強している。尚、蓋部２を閉じた状態でスライド片２０を左方に移動させることで、係止突起２３は係止部１７ｂ内に進入する。
そして、縦長のリブ１７ａは、段差部１５の内面と蓋部２の周壁内面２ｃとを経て、蓋部２の頂壁内面２ａまで延びて、縦長のリブ１７ａは強靱とされている。また、縦長のリブ１７ａは２個、間隔をおいて平行に形成されている。このように縦長のリブ１７ａが複数個形成されていると、係止爪１７は特に折損し難い。縦長のリブ１７ａの、蓋部２の周壁内面２ｃよりの好ましい突出長ａは、約０．５〜５ｍｍである。
【００５０】
【発明の効果】
以上説明したように、本発明によれば、パウチのキャップの取り外し取り付けが容易な、パウチのキャップの取り外し取り付け方法が提供されるし、キャップの取り外し取り付けが容易で、パウチを収容し易く、またキャップの保管に特にスペースを必要とせず、内容物を注出し易いハウジングが提供される。
従って、本発明のハウジングは液状物、或いは粒状で流動する性質を有する固形物を内容物として収容したパウチを収容するのに好適である。前記液状物の例は、ミネラルウォーター、ソフトドリンク、ハチミツ等の健康食品、醤油、ソース等の液状飲食物、或いは液状の接着剤、パラフィン類を含む液状の床磨き剤、液状の洗剤、自動車用のエンジンオイル他の液状オイル等であり、前記固形物の例は、グルタミン酸ナトリウムの粒状物、無洗米等の穀類である。
高粘度のためスパウトから注ぎ難い液状物をパウチが内容物としていても、このパウチを本発明のハウジングに収容して用いればスパウトから注ぎやすい。
【図面の簡単な説明】
【図１】本発明のパウチ収容用ハウジングの例を示す斜視図であって、蓋部を開いた状態を示す図である。
【図２】図１に示すパウチ収容用ハウジングからキャップ回しを取り外し、且つ蓋部を閉じた状態を示す正面図である。
【図３】図２に示すパウチ収容用ハウジングの右側面図である。
【図４】図２のＡ−Ａ線切断端面図である。
【図５】図３のＢ−Ｂ線切断断面図である。
【図６】図２のＣ−Ｃ線切断断面図である。
【図７】図２のＤ−Ｄ線切断要部拡大端面図であって、蓋部と本体とをロックするロック部を示す。
【図８】キャップ回しの例を示す正面図である。
【図９】図８に示すキャップ回しの左側面図である。
【図１０】図８に示すキャップ回しの平面図である。
【図１１】図８に示すキャップ回しの底面図である。
【図１２】図８のＧ−Ｇ線切断断面図である。
【図１３】図９のＨ−Ｈ線切断断面図である。
【図１４】図８のＩ−Ｉ線切断断面図である。
【図１５】キャップ回しの他の例を示す正面図である。
【図１６】図１５に示すキャップ回しの平面図である。
【図１７】図１５のＫ−Ｋ線切断断面図である。
【図１８】蓋部の頂壁内面に取付座を形成したハウジングの例を示す斜視図であって、ハウジングの一部を示す図である。
【図１９】本発明のパウチのキャップの取り外し取り付け方法の例を示す断面図である。
【図２０】本発明のパウチ収容用ハウジングの他の例を示す要部部分拡大斜視図であって、係止爪周辺の蓋部の一部を示す図である。
【符号の説明】
１・・本体、１ａ・・開口部、２・・蓋部、２ａ・・頂壁内面、２ｃ・・周壁内面、２ｄ・・取付座、３・・ヒンジ、４・・周壁、７、７ｂ・・凹部、９ａ、９ｂ・・握り孔、１２・・スパウト支持孔、１２ａ、１２ｂ・・切欠、１５・・段差部、１７・・係止爪、１７ａ・・縦長のリブ、１７ｂ・・係止部、１９・・補強リブ、２０・・スライド片、２１・・突起、２３・・係止突起、２５・・凹み、２７・・突出片、４０・・スパウト、４１・・袋体、４２・・キャップ、４３・・台座、４５・・突片、４６・・胴部、４９・・貫通孔、５０・・内容物、７０・・キャップ回し、７０ａ・・キャップ回し、７２・・中空体、７３・・中空部、７４・・嵌合用突起、７６・・つかみ部、７６ａ・・つかみ部、７７・・谷状部、７８・・透孔
【図１】
2004026276.tif 000003
【図２】
2004026276.tif 000004
【図３】
2004026276.tif 000005
【図４】
2004026276.tif 000006
【図５】
2004026276.tif 000007
【図６】
2004026276.tif 000008
【図７】
2004026276.tif 000009
【図８】
2004026276.tif 000010
【図９】
2004026276.tif 000011
【図１０】
2004026276.tif 000012
【図１１】
2004026276.tif 000013
【図１２】
2004026276.tif 000014
【図１３】
2004026276.tif 000015
【図１４】
2004026276.tif 000016
【図１５】
2004026276.tif 000017
【図１６】
2004026276.tif 000018
【図１７】
2004026276.tif 000019
【図１８】
2004026276.tif 000020
【図１９】
2004026276.tif 000021
【図２０】
2004026276.tif 000022